(57)【要約】【課題】複数の止血絆本体をまとめて保持すると共に、注射針を刺した状態で止血絆本体２を片手により貼付し得る止血絆及びその使用方法を提供する。【解決手段】シート基材５にパッド６を備えて両側に着接面３，４を形成する止血絆本体２と、止血絆本体２の一方の着接面３を剥離可能に被覆する剥離シート７と、止血絆本体２の他方の着接面４を剥離可能に被覆し且つ複数の止血絆本体２をまとめて保持する保持シート８とを備える。これにより、複数の止血絆本体２をまとめて保持すると共に、注射針を刺した状態で止血絆本体２を片手により貼付することができる。【選択図】図２
2005168875.tif 000002
【特許請求の範囲】
【請求項１】
シート基材にパッドを備えて両側に着接面を形成する止血絆本体と、該止血絆本体の一方の着接面を剥離可能に被覆する剥離シートと、前記止血絆本体の他方の着接面を剥離可能に被覆し且つ複数の止血絆本体をまとめて保持する保持シートとを備えたことを特徴とする止血絆。
【請求項２】
保持シートと剥離シートを一枚のシートで形成し、ミシン目で分離可能に構成した請求項１記載の止血絆。
【請求項３】
保持シートの裏面に固定用着接部を備えた請求項１又は２に記載の止血絆。
【請求項４】
剥離シートで被覆された止血絆本体の一側の大きさを、保持シートから止血絆本体を引っ張って剥がすよう掴み得る大きさにした請求項１〜３のいずれかに記載の止血絆。
【請求項５】
パッドの厚さを２ｍｍ〜２０ｍｍにした請求項１〜４のいずれかに記載の止血絆。
【請求項６】
シート基材にパッドを備えて両側に着接面を形成する止血絆本体と、該止血絆本体の一方の着接面を剥離可能に被覆する剥離シートと、前記止血絆本体の他方の着接面を剥離可能に被覆し且つ複数の止血絆本体をまとめて保持する保持シートとを備え、
前記保持シートを固定して止血絆本体を引っ張ることにより保持シートから分離させて止血絆本体の他側の着接面を露出し、他方の着接面を患部の近傍に貼付して止血絆本体を固定することにより止血絆本体から剥離シートを剥離して止血絆本体の一方の着接面を露出し、一方の着接面を貼付して患部にパッドをあてがうことを特徴とする止血絆の使用方法。
【発明の詳細な説明】
【技術分野】
【０００１】
本発明は、静脈注射や皮下注射、採血、点滴等を行った際に、注射針により生じる穿刺部を被覆保護し得るよう止血絆本体を備えた止血絆及びその使用方法に関するものである。
【背景技術】
【０００２】
従来において、静脈注射や皮下注射、採血、点滴等を行った際には、注射針を抜いた後の穿刺部からの感染を防止する為、消毒綿や消毒ガーゼを前記穿刺部に当てて手で押さえるようにしていたが、近年においては、消毒綿や消毒ガーゼを手で押さえ続けておく煩わしさを解消する為に、小さな止血絆本体（絆創膏）を穿刺部に貼付して被覆保護するようになってきた。
【０００３】
このような止血絆本体の一例を示すと、図８、図９に示す如く、止血絆本体ａは、着接面を付したシート基材ｂの中央にパッドｃを備えて形成されており、更には、止血絆本体ａは、複数でまとめられるよう止血絆ｄとして構成されている。
【０００４】
止血絆ｄは、複数のパッドｃを所要の間隔で並べ且つ複数の切断線ｅにより複数の止血絆本体ａのシート基材ｂを形成する帯状の基材ｆと、基材ｆより広幅の剥離紙ｇとから構成されており、基材ｆのパッドｃ側面には、長手方向に延びる一側部（図における右側の側部）に沿う非着接面ｈを残して着接面ｉを形成し、剥離紙ｇには、非着接面ｈを残して着接面全域を被覆させると共に、剥離紙ｇの余剰部ｊの裏面には固定用着接面ｋを形成している。
【０００５】
このような止血絆ｄを使用する際には、非着接面ｈをつまんで止血絆本体ａを剥離紙ｇから個々に剥がし、そのまま止血絆本体ａの着接面ｉを皮膚面に貼り付け、注射針を抜いた後の穿刺部をパッドｃにより被覆保護している。
【０００６】
なお、このような止血絆の一般的な例を示すものは既に特許公報として示されている（例えば特許文献１参照）。
【特許文献１】特願平９−１３１０９６号公報
【発明の開示】
【発明が解決しようとする課題】
【０００７】
しかしながら、前述した如き従来の止血絆本体ａはパッドｃの周囲に着接面ｉを備えるため、注射針を刺した状態で貼付する際には着接面ｉが注射針に付着し、注射針を抜いた後でないと、穿刺部を被覆保護できないという問題があった。又、止血絆本体ａを剥離紙ｇから剥がした際には、着接面ｉの全面が一度に露出するため、手に触れる虞れがあると共に、止血絆本体ａを患部に奇麗に貼付することができないという問題があった。更に、従来の止血絆本体ａは、着接面ｉがパッドｃの周囲を囲ってパッドｃの全体面積が小さくなるため、患部からの止血を十分に防止することができないという問題があった。更に又、着接面ｉが小さくなるため、止血絆本体ａを患部に確実に貼付することができないという問題があった。
【０００８】
本発明は上述の実情に鑑みてなしたもので、複数の止血絆本体をまとめて保持すると共に、注射針を刺した状態で止血絆本体を片手により貼付し得る止血絆及びその使用方法を提供することを目的としている。
【課題を解決するための手段】
【０００９】
本発明の請求項１は、シート基材にパッドを備えて両側に着接面を形成する止血絆本体と、該止血絆本体の一方の着接面を剥離可能に被覆する剥離シートと、前記止血絆本体の他方の着接面を剥離可能に被覆し且つ複数の止血絆本体をまとめて保持する保持シートとを備えたことを特徴とする止血絆、に係るものである。
【００１０】
本発明の請求項２は、保持シートと剥離シートを一枚のシートで形成し、ミシン目で分離可能に構成した請求項１記載の止血絆、に係るものである。
【００１１】
本発明の請求項３は、保持シートの裏面に固定用着接部を備えた請求項１又は２に記載の止血絆、に係るものである。
【００１２】
本発明の請求項４は、剥離シートで被覆された止血絆本体の一側の大きさを、保持シートから止血絆本体を引っ張って剥がすよう掴み得る大きさにした請求項１〜３のいずれかに記載の止血絆、に係るものである。
【００１３】
本発明の請求項５は、パッドの厚さを２ｍｍ〜２０ｍｍにした請求項１〜４のいずれかに記載の止血絆、に係るものである。
【００１４】
本発明の請求項６は、シート基材にパッドを備えて両側に着接面を形成する止血絆本体と、該止血絆本体の一方の着接面を剥離可能に被覆する剥離シートと、前記止血絆本体の他方の着接面を剥離可能に被覆し且つ複数の止血絆本体をまとめて保持する保持シートとを備え、
前記保持シートを固定して止血絆本体を引っ張ることにより保持シートから分離させて止血絆本体の他側の着接面を露出し、他方の着接面を患部の近傍に貼付して止血絆本体を固定することにより止血絆本体から剥離シートを剥離して止血絆本体の一方の着接面を露出し、一方の着接面を貼付して患部にパッドをあてがうことを特徴とする止血絆の使用方法、に係るものである。
【００１５】
このような止血絆及びその使用方法によれば、止血絆本体を保持シートから分離する際、剥離シートを止血絆本体から剥離する際、及び止血絆本体を患部に貼付する際には、片手で扱うことができ、特に注射針を刺した状態で止血絆本体を片手で貼付することができる。又、着接面をパッドの周囲でなく、パッドの両側のみに配するので、注射針を刺した状態で注射針に着接面がくっつかないよう止血絆本体を貼付することができる。更に、止血絆本体を保持シートから分離した際には、着接面の他方のみが露出するので、手や注射針が着接面に触れる可能性を低減し、衛生度を向上させることができる。更に又、止血部本体は両側に着接面を形成するので、着接面を大きくすることが可能となり、患部への圧迫力が増すよう止血絆本体を貼付して止血効果を高めることができる。
【００１６】
保持シートと剥離シートを一枚のシートで形成し、ミシン目で分離可能に構成すると、剥離シートを有する状態で止血絆本体を、保持シートから容易に分離することができる。又、製造の際には、保持シートと剥離シートを一枚のシートで同時に形成し得るので、製造コストを低減することができる。
【００１７】
保持シートの裏面に固定用着接部を備えると、固定用着接部により保持シートを固定し得るので、止血絆本体を保持シートから片手で容易に分離することができる。
【００１８】
剥離シートで被覆された止血絆本体の一側の大きさを、保持シートから止血絆本体を引っ張って剥がすよう掴み得る大きさにすると、剥離シートを止血絆本体から片手で容易に剥離することができる。又、着接面を大きくし得るので、患部への圧迫力が増すよう止血絆本体を貼付して止血効果を適切に高めることができる。
【００１９】
パッドの厚さを２ｍｍ〜２０ｍｍにすると、厚みにより患部への圧迫力が増すので、止血効果を一層高めることができる。
【発明の効果】
【００２０】
上記した本発明の止血絆及びその使用方法によれば、複数の止血絆本体をまとめて保持すると共に、注射針を刺した状態で止血絆本体を片手により貼付し得るという優れた効果を奏し得る。
【発明を実施するための最良の形態】
【００２１】
以下本発明の実施の形態を図面を参照しつつ説明する。
【００２２】
図１〜図７は本発明を実施する形態の一例を示すもので、図１は本発明を実施する形態の一例を示す平面図、図２は図１のＩＩ−ＩＩ方向の矢視図、図３は止血絆本体を使用する直前の状態を示す側面図、図４は保持シートから止血絆本体を分離した状態を示す側面図、図５は止血絆本体の一方の着接面を貼付した状態を示す側面図、図６は止血絆本体の他方の着接面から剥離シートを剥離した状態を示す側面図、図７は止血絆本体の両方の着接面を貼付した状態を示す側面図である。
【００２３】
止血絆１は、複数の止血絆本体２をまとめた状態で構成されており、一枚の止血絆本体２は、両側のみに着接面３，４を形成するよう不織布等のシート基材５の中央にパッド６を備えている。
【００２４】
ここで、一枚の止血絆本体２は、シート基材５の大きさを一定の幅で所定長さを備えると共に、止血絆本体２の一側を掴み得るよう、パッド６の大きさを、幅５ｍｍ〜５０ｍｍ、長さ（全体の長手方向）５ｍｍ〜５０ｍｍ、厚さ２ｍｍ〜２０ｍｍ、好ましくは幅２０ｍｍ前後、長さ（全体の長手方向）１５ｍｍ前後、厚さ５ｍｍ前後にしている。一方、着接面３，４の大きさを、幅５ｍｍ〜５０ｍｍ、長さ（両側合わせて全体の長手方向）２０ｍｍ〜２００ｍｍ、好ましくは幅約２０ｍｍ、長さ（両側合わせて全体の長手方向）７０ｍｍにしている。
【００２５】
又、止血絆１は、止血絆本体２の一方の着接面３を剥離可能に被覆すると共にパッド６の面を被覆する剥離シート７を備え、剥離シート７は、止血絆本体２の形状に合致するように同じ幅、長さで形成されている。
【００２６】
更に、止血絆１は、複数の止血絆本体２（図１では五枚）をまとめた状態で保持し得るよう、止血絆本体２の他方の着接面４を夫々剥離可能に被覆する大形の保持シート８を備えており、保持シート８は、一枚の止血絆本体２の長手方向及び幅方向において他方の着接面４から外方に拡張するよう形成されると共に、幅の長さを、複数の止血絆本体２の枚数を並べた大きさに形成されている。又、保持シート８は剥離シート７とミシン目９を介して分離可能に接続されると共に、保持シート８の拡張した部分の裏面には固定用着接部１０が備えられている。なお、固定用着接部１０には、剥離可能な剥離紙（図示せず）を備えても良いし、止血絆本体２を備えた保持シート８を束ねるよう他の保持シート（図示せず）を剥離可能に貼付しても良い。
【００２７】
ここで、止血絆１を製造する際には、剥離シート７と保持シート８を一枚のシートで形成し、且つ複数の止血絆本体２を、シート基材５用の帯部と、パッド６用の帯部とで形成しており、これに切込線１１を入れることにより、複数の止血絆本体２に分割すると共に、対応する複数の剥離シート７に分割し、更にミシン目９を入れることにより剥離シート７と保持シート８を分離可能に形成している。なお、ミシン目９の形状は、特に限定されるものでなく、分離し得るならばどのような形状でもよい。
【００２８】
以下、本発明の実施の形態を図示例とともに説明する。
【００２９】
止血絆１を使用する際には、予め、図３に示す如く、保持シート８を固定用着接部１０により腕や台の固定部位１２に固定して準備しておき、静脈注射や皮下注射、採血、点滴等を行った際に、注射針を刺した状態で次のように使用する。
【００３０】
具体的には、保持シート８を固定した状態で止血絆本体２の一側を掴んで止血絆本体２を引っ張ることにより、図４に示す如く、ミシン目９を破って剥離シート７を保持シート８から分離し、止血絆本体２の他方の着接面４を露出させる。続いて、図５に示す如く、露出した他方の着接面４を、注射針を刺した状態の穿刺部（患部）１３の近傍に貼付して止血絆本体２を固定し、図６に示す如く、剥離シート７を止血絆本体２から剥離して止血絆本体２の一方の着接面３を露出させる。更に、図７に示す如く、露出した一方の着接面３を貼付して注射針を刺した状態の穿刺部１３にパッド６をあてがい、止血絆本体２の貼付し、最終的に、注射針を抜いて穿刺部１３を被覆保護した状態にする。
【００３１】
このように、止血絆本体２を保持シート８から分離する際には、保持シート８を固定用着接部１０により固定するので、止血絆本体２を片手で保持シート８から分離することができ、更に、剥離シート７を止血絆本体２から剥離する際には、パッド６に対応する剥離シート７の一部が、保持シート８からの分離に伴ってパッド６から離間して掛止部分となるので、剥離シート７を片手で掛止して剥離することができ、結果的に、止血絆本体２を患部に貼付する際には、片手で扱うことができ、特に注射針を刺した状態で止血絆本体２を片手で貼付することができる。
【００３２】
止血絆本体２は、着接面３，４をパッド６の周囲でなく、パッド６の両側のみに配するので、注射針を刺した状態で注射針に着接面３，４がくっつかないよう止血絆本体２を貼付することができる。又、止血絆本体２を保持シート８から分離した際には、着接面４の他方のみが露出するので、手や注射針が着接面４に触れる可能性を低減し、衛生度を向上させることができる。更に、着接面４の他方を患部近傍に貼付してから剥離シート７を剥がし、続いて着接面３の一方を貼付して患部にパッド６をあてがうので、患部に対して段階的に貼付し、奇麗に貼付することができる。
【００３３】
又、止血絆本体２はパッド６の両側に着接面３，４を形成するので、パッド６の全体面積を大きくし、止血絆本体２を患部に狙いを定めて貼付することができる。更に、着接面３，４を大きくすることが可能となり、患部への圧迫力が増すよう止血絆本体２を貼付して止血効果を高めることができる。更に又、止血絆本体２は保持シート８に複数の止血絆本体２をまとめて保持するので、止血絆本体２の整理を容易にすることができる。
【００３４】
保持シート８と剥離シート７を一枚のシートで形成し、ミシン目９で分離可能に構成すると、剥離シート７を有する状態で止血絆本体２を、保持シート８から容易に分離することができる。又、止血絆本体２を使用するまで、両方の着接面３，４及びパッド６を保持シート８及び剥離シート７で完全に覆うので、衛生度を一層向上させることができる。更に、製造の際には、保持シート８と剥離シート７を一枚のシートで同時に形成し得るので、製造コストを低減することができる。
【００３５】
保持シート８の裏面に固定用着接部１０を備えると、固定用着接部１０により保持シート８を固定し得るので、止血絆本体２を保持シート８から片手で容易に分離することができる。
【００３６】
剥離シート７で被覆された止血絆本体２の一側の大きさを、保持シート８から止血絆本体２を引っ張って剥がすよう掴み得る大きさにすると、つまみ得る大きさのものと異なり、剥離シート７を止血絆本体２から片手で容易に剥離することができる。又、着接面３，４を大きくし得るので、患部への圧迫力が増すよう止血絆本体２を貼付して止血効果を適切に高めることができる。
【００３７】
パッド６の厚さを２ｍｍ〜２０ｍｍにすると、厚みにより患部への圧迫力が増すので、止血効果を一層高めることができる。
【００３８】
尚、本発明の止血絆及びその使用方法は、上述の形態例にのみ限定されるものではなく、保持シートに保持する止血絆本体の枚数は特に制限されるものではないこと、保持シートに対する止血絆本体の位置は他の配置でもよいこと、基材シートの材質には不織布以外に樹脂シート、布、紙等を採用しても良いこと、剥離シートは剥離紙とする以外に樹脂シート等とすることも可能であること、その他、本発明の要旨を逸脱しない範囲内において種々変更を加え得ることは勿論である。
【図面の簡単な説明】
【００３９】
【図１】本発明を実施する形態の一例を示す平面図である。
【図２】図１のＩＩ−ＩＩ方向の矢視図である。
【図３】止血絆本体を使用する直前の状態を示す側面図である。
【図４】保持シートから止血絆本体を分離した状態を示す側面図である。
【図５】止血絆本体の一方の着接面を貼付した状態を示す側面図である。
【図６】止血絆本体の他方の着接面から剥離シートを剥離した状態を示す側面図である。
【図７】止血絆本体２の両方の着接面を貼付した状態を示す側面図である。
【図８】従来例を示す平面図である。
【図９】図８のＩＸ−ＩＸ方向の矢視図である。
【符号の説明】
【００４０】
１  止血絆
２  止血絆本体
３  一方の着接面
４  他方の着接面
５  シート基材
６  パッド
７  剥離シート
８  保持シート
９  ミシン目
１０  固定用着接部
１３  穿刺部（患部）
【図１】
2005168875.tif 000003
【図２】
2005168875.tif 000004
【図３】
2005168875.tif 000005
【図４】
2005168875.tif 000006
【図５】
2005168875.tif 000007
【図６】
2005168875.tif 000008
【図７】
2005168875.tif 000009
【図８】
2005168875.tif 000010
【図９】
2005168875.tif 000011